(57)【要約】【課題】配送している物品が盗難された場合に、より確実に警告を発することを目的とする。【解決手段】タグデータが暗号鍵で暗号化された暗号化データを記憶したタグ２を配送する物品１に取り付ける。警告装置４は、アンテナ５から所定の範囲に無線電波を放射して、その反射波として、タグ２から暗号化データを読み出す。警告装置４は、読み出した暗号化データを復号して、復号したデータがタグデータであるか否かを判定する。警告装置４は、復号したデータがタグデータでない場合、又は、タグ２から暗号化データが読み出せなかった場合、警告を発する。【選択図】図１
2011186578.tif 000002
【特許請求の範囲】
【請求項１】
所定の範囲に無線電波を放射するアンテナと、
物品に取り付けられたタグであって、タグデータが第１暗号鍵で暗号化された第１暗号化データを記憶したタグから、前記アンテナが放射した無線電波を介して前記第１暗号化データを読み出す読出部と、
前記第１暗号鍵で暗号化されたデータを復号するための第１復号鍵と判定データとを記憶した記憶装置と、
前記読出部が読み出した第１暗号化データを、前記記憶装置が記憶した第１復号鍵で復号して第１復号データを処理装置により生成する復号部と、
前記復号部が生成した第１復号データが前記判定データと一致するか否かを処理装置により判定する判定部と、
前記第１復号データが前記判定データと一致しないと前記判定部が判定した場合、又は、前記読出部が前記タグから前記暗号化データを読み出せなかった場合、警告を発する警告部と
を備えることを特徴とする警告装置。
【請求項２】
前記警告装置は、さらに、
前記物品の管理を他の警告装置へ移す場合、前記タグデータが第２暗号鍵で暗号化された第２暗号化データを前記タグに記憶させるタグデータ更新部と、
前記第２暗号鍵で暗号化されたデータを復号するための第２復号鍵を、前記他の管理装置が備える記憶装置に記憶させる復号鍵更新部と
を備えることを特徴とする請求項１に記載の警告装置。
【請求項３】
前記タグデータ更新部は、前記第１復号鍵で復号可能な暗号化データを生成する第２暗号鍵で、前記タグデータが暗号化された第２暗号化データを前記タグに記憶させ、
前記復号鍵更新部は、前記第１復号鍵で復号可能な暗号化データのうち、一部の暗号化データのみを復号可能な第２復号鍵であって、前記第２暗号鍵で暗号化されたデータを復号するための第２復号鍵を、前記他の管理装置が備える記憶装置に記憶させる
ことを特徴とする請求項２に記載の警告装置。
【請求項４】
前記タグデータ更新部は、前記第１暗号化データを前記第２暗号鍵でさらに暗号化した第２暗号化データを前記タグに記憶させ、
前記復号鍵更新部は、前記第２復号鍵を前記他の管理装置が備える記憶装置に記憶させるとともに、使用可能な期限である有効期限を付した前記第１復号鍵を前記他の管理装置が備える記憶装置に記憶させる
ことを特徴とする請求項２に記載の警告装置。
【請求項５】
前記警告装置は、さらに、
前記読出部が前記タグから初めて暗号化データを読み出した場合、前記タグの識別情報と、警告装置自身の識別情報とを所定の管理装置へ送信する識別情報送信部
を備えることを特徴とする請求項１から４までのいずれかに記載の警告装置。
【請求項６】
複数の警告装置を備える警告システムであり、
前記複数の警告装置のうちの第１警告装置は、
所定の範囲に無線電波を放射する第１アンテナと、
物品に取り付けられたタグであって、タグデータが第１暗号鍵で暗号化された第１暗号化データを記憶したタグから、前記第１アンテナが放射した無線電波を介して前記第１暗号化データを読み出す第１読出部と、
前記第１暗号鍵で暗号化されたデータを復号するための第１復号鍵と判定データとを記憶した第１記憶装置と、
前記第１読出部が読み出した第１暗号化データを、前記第１記憶装置が記憶した第１復号鍵で復号して第１復号データを処理装置により生成する第１復号部と、
前記第１復号部が生成した第１復号データが前記判定データと一致するか否かを処理装置により判定する第１判定部と、
前記第１復号データが前記判定データと一致しないと前記第１判定部が判定した場合、又は、前記第１読出部が前記タグから前記暗号化データを読み出せなかった場合、警告を発する第１警告部と、
前記物品の管理を前記複数の警告装置のうちの第２警告装置へ移す場合、前記タグデータが第２暗号鍵で暗号化された第２暗号化データを前記タグに記憶させる第１タグデータ更新部と、
前記第２暗号鍵で暗号化されたデータを復号するための第２復号鍵と判定データとを、前記第２管理装置が備える第２記憶装置に記憶させる第１復号鍵更新部と
を備え、
前記第２警告装置は、
所定の範囲に無線電波を放射する第２アンテナと、
物品に取り付けられたタグであって、前記第２暗号化データを記憶したタグから、前記第２アンテナが放射した無線電波を介して前記第２暗号化データを読み出す第２読出部と、
前記第１復号鍵更新部によって前記第２復号鍵と判定データとを記憶される第２記憶装置と、
前記第２読出部が読み出した第２暗号化データを、前記第２記憶装置が記憶した第２復号鍵で復号して第２復号データを処理装置により生成する第２復号部と、
前記第２復号部が生成した第２復号データが前記判定データと一致するか否かを処理装置により判定する第２判定部と、
前記第２復号データが前記判定データと一致しないと前記第２判定部が判定した場合、又は、前記第２読出部が前記タグから前記暗号化データを読み出せなかった場合、警告を発する第２警告部と
を備えることを特徴とする警告システム。
【請求項７】
複数の警告装置と、管理装置とを備える警告システムであり、
前記複数の警告装置の各警告装置は、
所定の範囲に無線電波を放射するアンテナと、
物品に取り付けられたタグであって、タグデータが第１暗号鍵で暗号化された第１暗号化データと、タグの識別情報とを記憶したタグから、前記アンテナが放射した無線電波を介して前記第１暗号化データと前記識別情報とを読み出す読出部と、
前記第１暗号鍵で暗号化されたデータを復号するための第１復号鍵と判定データとを記憶した記憶装置と、
前記読出部が読み出した第１暗号化データを、前記記憶装置が記憶した第１復号鍵で復号して第１復号データを処理装置により生成する復号部と、
前記復号部が生成した第１復号データが前記判定データと一致するか否かを処理装置により判定する判定部と、
前記第１復号データが前記判定データと一致しないと前記判定部が判定した場合、又は、前記読出部が前記タグから前記暗号化データを読み出せなかった場合、前記タグの識別情報を含む警告を通信装置を介して前記管理装置へ送信する警告部と
を備え、
前記管理装置は、
前記警告部が送信した警告を通信装置を介して受信する管理装置受信部と、
前記受信部が警告を受信した場合、前記警告に含まれる識別情報を前記複数の警告装置へ通信装置を介して送信する管理装置送信部と
を備え、
前記各警告装置は、さらに、
前記管理装置送信部が送信した識別情報を通信装置を介して受信する識別情報受信部と、
前記識別情報受信部が受信した識別情報をタグから受信した場合、タグ検出情報を前記管理装置へ通信装置を介して送信する検出情報送信部と
を備えることを特徴とする警告システム。
【請求項８】
物品に取り付けられたタグと、前記タグからデータを読み出す警告装置とを備える警告システムであり、
前記警告装置は、
所定の範囲に所定のデータを乗せた無線電波を放射するアンテナを備え、
前記タグは、
第１暗号鍵を記憶する暗号鍵記憶装置と、
前記アンテナが放射した無線電波を受信すると、無線電波に乗せられた所定のデータを前記暗号鍵記憶装置が記憶した第１暗号鍵で暗号化して第１暗号化データを生成する暗号化部を備え、
前記警告装置は、さらに、
前記アンテナが放射した無線電波を介して、前記暗号化部が暗号化した第１暗号化データを読み出す読出部と、
前記第１暗号鍵で暗号化されたデータを復号するための第１復号鍵を記憶した復号鍵記憶装置と、
前記読出部が読み出した第１暗号化データを、前記復号鍵記憶装置が記憶した第１復号鍵で復号して第１復号データを処理装置により生成する復号部と、
前記復号部が生成した第１復号データが前記所定のデータと一致するか否かを処理装置により判定する判定部と、
前記第１復号データが前記所定のデータと一致しないと前記判定部が判定した場合、又は、前記読出部が前記タグから前記暗号化データを読み出せなかった場合、警告を発する警告部と
を備えることを特徴とする警告システム。
【請求項９】
前記警告システムは、前記警告装置を複数備え、
前記警告装置は、さらに、
前記物品の管理を他の警告装置へ移す場合、前記第１暗号鍵とは異なる第２暗号鍵を前記暗号鍵記憶装置に記憶させるタグデータ更新部と、
前記第２暗号鍵で暗号化されたデータを復号するための第２復号鍵を、前記他の管理装置が備える復号鍵記憶装置に記憶させる復号鍵更新部と
を備えることを特徴とする請求項８に記載の警告システム。
【請求項１０】
前記タグデータ更新部は、前記第１復号鍵で復号可能な暗号化データを生成する第２暗号鍵を前記暗号鍵記憶装置に記憶させ、
前記復号鍵更新部は、前記第１復号鍵で復号可能な暗号化データのうち、一部の暗号化データのみを復号可能な第２復号鍵であって、前記第２暗号鍵で暗号化されたデータを復号するための第２復号鍵を、前記他の管理装置が備える復号鍵記憶装置に記憶させる
ことを特徴とする請求項９に記載の警告システム。
【請求項１１】
物品に取り付けられたタグであって、タグデータが第１暗号鍵で暗号化された第１暗号化データを記憶したタグから、前記アンテナから放射された無線電波を介して前記第１暗号化データを読み出す読出処理と、
前記読出処理で読み出した第１暗号化データを、記憶装置に記憶された第１復号鍵で復号して第１復号データを処理装置により生成する復号処理と、
前記復号処理で生成した第１復号データが記憶装置に記憶された判定データと一致するか否かを処理装置により判定する判定処理と、
前記第１復号データが前記判定データと一致しないと前記判定処理で判定した場合、又は、前記読出処理で前記タグから前記暗号化データを読み出せなかった場合、警告を発する警告処理と
を備えることを特徴とする警告プログラム。
【発明の詳細な説明】
【技術分野】
【０００１】
この発明は、物品を安全に配送する技術に関する。
【背景技術】
【０００２】
特許文献１には、配送する物品を保管手段に収納して配送する方法が記載されている。この方法では、保管手段が、交信手段が発する無線電波の受信強度が一定値以下になり、その状態が規定時間以上継続したときに、警告を発する。
なお、交信手段が保管手段を運ぶ者に携帯されることや、交信手段が予め移動経路に設置されることも記載されている。したがって、移動用保管手段を運ぶ者から移動用保管手段が離れた場合や、移動経路から移動用保管手段が離れた場合には警告が発せられる。
【先行技術文献】
【特許文献】
【０００３】
【特許文献１】特開平１−２１３７９６号公報
【発明の概要】
【発明が解決しようとする課題】
【０００４】
しかし、特許文献１に記載された方法では、物品を盗難する盗難者が、交信手段と同様の無線電波を出力する偽交信手段を保持している場合、保管手段を盗難者が盗難したとしても警告が発せられることはない。
この発明は、物品が盗難された場合に、より確実に警告を発することを目的とする。
【課題を解決するための手段】
【０００５】
この発明に係る警告装置は、例えば、
所定の範囲に無線電波を放射するアンテナと、
物品に取り付けられたタグであって、タグデータが第１暗号鍵で暗号化された第１暗号化データを記憶したタグから、前記アンテナが放射した無線電波を介して前記第１暗号化データを読み出す読出部と、
前記第１暗号鍵で暗号化されたデータを復号するための第１復号鍵と判定データとを記憶した記憶装置と、
前記読出部が読み出した第１暗号化データを、前記記憶装置が記憶した第１復号鍵で復号して第１復号データを処理装置により生成する復号部と、
前記復号部が生成した第１復号データが前記判定データと一致するか否かを処理装置により判定する判定部と、
前記第１復号データが前記判定データと一致しないと前記判定部が判定した場合、又は、前記読出部が前記タグから前記暗号化データを読み出せなかった場合、警告を発する警告部と
を備えることを特徴とする。
【０００６】
前記警告装置は、さらに、
前記物品の管理を他の警告装置へ移す場合、前記タグデータが第２暗号鍵で暗号化された第２暗号化データを前記タグに記憶させるタグデータ更新部と、
前記第２暗号鍵で暗号化されたデータを復号するための第２復号鍵を、前記他の管理装置が備える記憶装置に記憶させる復号鍵更新部と
を備えることを特徴とする。
【０００７】
前記タグデータ更新部は、前記第１復号鍵で復号可能な暗号化データを生成する第２暗号鍵で、前記タグデータが暗号化された第２暗号化データを前記タグに記憶させ、
前記復号鍵更新部は、前記第１復号鍵で復号可能な暗号化データのうち、一部の暗号化データのみを復号可能な第２復号鍵であって、前記第２暗号鍵で暗号化されたデータを復号するための第２復号鍵を、前記他の管理装置が備える記憶装置に記憶させる
ことを特徴とする。
【０００８】
前記タグデータ更新部は、前記第１暗号化データを前記第２暗号鍵でさらに暗号化した第２暗号化データを前記タグに記憶させ、
前記復号鍵更新部は、前記第２復号鍵を前記他の管理装置が備える記憶装置に記憶させるとともに、使用可能な期限である有効期限を付した前記第１復号鍵を前記他の管理装置が備える記憶装置に記憶させる
ことを特徴とする。
【０００９】
前記警告装置は、さらに、
前記読出部が前記タグから初めて暗号化データを読み出した場合、前記タグの識別情報と、警告装置自身の識別情報とを所定の管理装置へ送信する識別情報送信部
を備えることを特徴とする。
【００１０】
この発明に係る警告システムは、
複数の警告装置を備える警告システムであり、
前記複数の警告装置のうちの第１警告装置は、
所定の範囲に無線電波を放射する第１アンテナと、
物品に取り付けられたタグであって、タグデータが第１暗号鍵で暗号化された第１暗号化データを記憶したタグから、前記第１アンテナが放射した無線電波を介して前記第１暗号化データを読み出す第１読出部と、
前記第１暗号鍵で暗号化されたデータを復号するための第１復号鍵と判定データとを記憶した第１記憶装置と、
前記第１読出部が読み出した第１暗号化データを、前記第１記憶装置が記憶した第１復号鍵で復号して第１復号データを処理装置により生成する第１復号部と、
前記第１復号部が生成した第１復号データが前記判定データと一致するか否かを処理装置により判定する第１判定部と、
前記第１復号データが前記判定データと一致しないと前記第１判定部が判定した場合、又は、前記第１読出部が前記タグから前記暗号化データを読み出せなかった場合、警告を発する第１警告部と、
前記物品の管理を前記複数の警告装置のうちの第２警告装置へ移す場合、前記タグデータが第２暗号鍵で暗号化された第２暗号化データを前記タグに記憶させる第１タグデータ更新部と、
前記第２暗号鍵で暗号化されたデータを復号するための第２復号鍵と判定データとを、前記第２管理装置が備える第２記憶装置に記憶させる第１復号鍵更新部と
を備え、
前記第２警告装置は、
所定の範囲に無線電波を放射する第２アンテナと、
物品に取り付けられたタグであって、前記第２暗号化データを記憶したタグから、前記第２アンテナが放射した無線電波を介して前記第２暗号化データを読み出す第２読出部と、
前記第１復号鍵更新部によって前記第２復号鍵と判定データとを記憶される第２記憶装置と、
前記第２読出部が読み出した第２暗号化データを、前記第２記憶装置が記憶した第２復号鍵で復号して第２復号データを処理装置により生成する第２復号部と、
前記第２復号部が生成した第２復号データが前記判定データと一致するか否かを処理装置により判定する第２判定部と、
前記第２復号データが前記判定データと一致しないと前記第２判定部が判定した場合、又は、前記第２読出部が前記タグから前記暗号化データを読み出せなかった場合、警告を発する第２警告部と
を備えることを特徴とする。
【００１１】
この発明に係る警告システムは、
複数の警告装置と、管理装置とを備える警告システムであり、
前記複数の警告装置の各警告装置は、
所定の範囲に無線電波を放射するアンテナと、
物品に取り付けられたタグであって、タグデータが第１暗号鍵で暗号化された第１暗号化データと、タグの識別情報とを記憶したタグから、前記アンテナが放射した無線電波を介して前記第１暗号化データと前記識別情報とを読み出す読出部と、
前記第１暗号鍵で暗号化されたデータを復号するための第１復号鍵と判定データとを記憶した記憶装置と、
前記読出部が読み出した第１暗号化データを、前記記憶装置が記憶した第１復号鍵で復号して第１復号データを処理装置により生成する復号部と、
前記復号部が生成した第１復号データが前記判定データと一致するか否かを処理装置により判定する判定部と、
前記第１復号データが前記判定データと一致しないと前記判定部が判定した場合、又は、前記読出部が前記タグから前記暗号化データを読み出せなかった場合、前記タグの識別情報を含む警告を通信装置を介して前記管理装置へ送信する警告部と
を備え、
前記管理装置は、
前記警告部が送信した警告を通信装置を介して受信する管理装置受信部と、
前記受信部が警告を受信した場合、前記警告に含まれる識別情報を前記複数の警告装置へ通信装置を介して送信する管理装置送信部と
を備え、
前記各警告装置は、さらに、
前記管理装置送信部が送信した識別情報を通信装置を介して受信する識別情報受信部と、
前記識別情報受信部が受信した識別情報をタグから受信した場合、タグ検出情報を前記管理装置へ通信装置を介して送信する検出情報送信部と
を備えることを特徴とする。
【００１２】
この発明に係る警告システムは、
物品に取り付けられたタグと、前記タグからデータを読み出す警告装置とを備える警告システムであり、
前記警告装置は、
所定の範囲に所定のデータを乗せた無線電波を放射するアンテナを備え、
前記タグは、
第１暗号鍵を記憶する暗号鍵記憶装置と、
前記アンテナが放射した無線電波を受信すると、無線電波に乗せられた所定のデータを前記暗号鍵記憶装置が記憶した第１暗号鍵で暗号化して第１暗号化データを生成する暗号化部を備え、
前記警告装置は、さらに、
前記アンテナが放射した無線電波を介して、前記暗号化部が暗号化した第１暗号化データを読み出す読出部と、
前記第１暗号鍵で暗号化されたデータを復号するための第１復号鍵を記憶した復号鍵記憶装置と、
前記読出部が読み出した第１暗号化データを、前記復号鍵記憶装置が記憶した第１復号鍵で復号して第１復号データを処理装置により生成する復号部と、
前記復号部が生成した第１復号データが前記所定のデータと一致するか否かを処理装置により判定する判定部と、
前記第１復号データが前記所定のデータと一致しないと前記判定部が判定した場合、又は、前記読出部が前記タグから前記暗号化データを読み出せなかった場合、警告を発する警告部と
を備えることを特徴とする。
【００１３】
前記警告システムは、前記警告装置を複数備え、
前記警告装置は、さらに、
前記物品の管理を他の警告装置へ移す場合、前記第１暗号鍵とは異なる第２暗号鍵を前記暗号鍵記憶装置に記憶させるタグデータ更新部と、
前記第２暗号鍵で暗号化されたデータを復号するための第２復号鍵を、前記他の管理装置が備える復号鍵記憶装置に記憶させる復号鍵更新部と
を備えることを特徴とする。
【００１４】
前記タグデータ更新部は、前記第１復号鍵で復号可能な暗号化データを生成する第２暗号鍵を前記暗号鍵記憶装置に記憶させ、
前記復号鍵更新部は、前記第１復号鍵で復号可能な暗号化データのうち、一部の暗号化データのみを復号可能な第２復号鍵であって、前記第２暗号鍵で暗号化されたデータを復号するための第２復号鍵を、前記他の管理装置が備える復号鍵記憶装置に記憶させる
ことを特徴とする。
【００１５】
この発明に係る警告プログラムは、
物品に取り付けられたタグであって、タグデータが第１暗号鍵で暗号化された第１暗号化データを記憶したタグから、前記アンテナから放射された無線電波を介して前記第１暗号化データを読み出す読出処理と、
前記読出処理で読み出した第１暗号化データを、記憶装置に記憶された第１復号鍵で復号して第１復号データを処理装置により生成する復号処理と、
前記復号処理で生成した第１復号データが記憶装置に記憶された判定データと一致するか否かを処理装置により判定する判定処理と、
前記第１復号データが前記判定データと一致しないと前記判定処理で判定した場合、又は、前記読出処理で前記タグから前記暗号化データを読み出せなかった場合、警告を発する警告処理と
を備えることを特徴とする。
【発明の効果】
【００１６】
この発明に係る警告装置は、タグへ無線電波が届かなくなった場合だけでなく、受信した暗号化データから正しいデータが得られない場合にも警告を発する。そのため、警告が発せられないような細工をすることが難しい。
【図面の簡単な説明】
【００１７】
【図１】実施の形態１に係る警告システムの概要を説明するための図。
【図２】実施の形態１に係る警告システムの機能を示す機能ブロック図。
【図３】実施の形態２に係る警告システムの概要を説明するための図。
【図４】実施の形態２に係る警告システムの機能を示す機能ブロック図。
【図５】実施の形態３に係る警告システムの概要を説明するための図。
【図６】実施の形態３に係る警告システムの機能を示す機能ブロック図。
【図７】実施の形態４に係る警告システムの機能を示す機能ブロック図。
【図８】実施の形態５に係る警告システムの概要を説明するための図。
【図９】実施の形態５に係る警告システムの機能を示す機能ブロック図。
【図１０】警告装置４、管理装置６のハードウェア構成の一例を示す図。
【発明を実施するための形態】
【００１８】
以下、図に基づき、この発明の実施の形態について説明する。
なお、以下の説明において、処理装置は後述するＣＰＵ９１１等である。記憶装置は後述するＲＯＭ９１３、ＲＡＭ９１４、磁気ディスク９２０あるいはＣＰＵ９１１が有するキャッシュメモリやレジスタ等である。入力装置は後述するキーボード９０２、通信ボード９１５等である。通信装置は、後述する通信ボード９１５等である。つまり、処理装置、記憶装置、入力装置、通信装置はハードウェアである。
【００１９】
実施の形態１．
実施の形態１では、警告システムの基本構成について説明する。
【００２０】
図１は、実施の形態１に係る警告システムの概要を説明するための図である。
物品１を依頼元の居るＡ地点から配送先のＢ地点まで安全に配送したい。安全に配送するとは、物品１を盗難されることなく、確実に配送するという意味である。
この場合、例えば、物品１を運送会社等の車両３に載せてＡ地点からＢ地点まで配送する。物品１を車両３に載せる際、物品１にはタグ２が取り付けられる。また、車両３には、アンテナ５を備える警告装置４が取り付けられている。アンテナ５は、少なくとも車両３の荷台全体へ向けて無線電波７を放射する。警告装置４は、アンテナ５が放射した無線電波７を介して、タグ２からデータを読み出す。警告装置４は、タグ２からデータを読み出せない場合には、警告を管理装置６へ送信する。また、警告装置４は、タグ２から正しいデータが読み出せない場合にも、警告を管理装置６へ送信する。管理装置６は、警告を受信すると、依頼元や配送先へ盗難等があったことを通知する。
【００２１】
図２は、実施の形態１に係る警告システムの機能を示す機能ブロック図である。
警告システムは、タグ２、警告装置４、管理装置６を備える。
【００２２】
タグ２は、タグデータが暗号鍵で暗号化された暗号化データを記憶する。そして、タグ２は、所定の無線電波７を受信すると、記憶した暗号化データを反射波として返す。なお、タグデータとは、例えば、タグ２毎に一意に割り当てられたタグ２の識別情報である。また、暗号鍵とは、警告装置４の公開鍵である。
【００２３】
警告装置４は、アンテナ５を備える。また、警告装置４は、読出部１１、復号部１２、判定部１３、警告部１４、復号鍵記憶装置１５を備える。
復号鍵記憶装置１５には、タグ２が記憶した暗号化データを復号するための復号鍵と、判定データとが記憶されている。ここで、復号鍵は、警告装置４の秘密鍵である。また、判定データは、タグデータと同一のデータ、つまりタグ２の識別情報である。
読出部１１は、所定の間隔で、タグ２からアンテナ５が放射した無線電波７を介して暗号化データを読み出す。復号部１２は、読出部１１が読み出した暗号化データを、復号鍵記憶装置１５が記憶した復号鍵で復号して復号データを処理装置により生成する。判定部１３は、復号部１２が生成した復号データが、復号鍵記憶装置１５が記憶した判定データと一致するか否かを処理装置により判定する。警告部１４は、読出部１１がタグ２から暗号化データを読み出せなかった場合、又は、復号データが判定データと一致しないと判定部１３が判定した場合、警告を管理装置６へ送信する。
例えば、警告には、タグ２の識別情報（タグデータ）や、警告装置４が取り付けられた車両３の位置情報が含まれる。なお、車両３の位置情報は、車両３に取り付けられたナビゲーションシステムから取得してもよいし、警告装置４にＧＰＳアンテナを取り付けておき取得してもよい。
なお、警告部１４は、読出部１１がタグ２から暗号化データを読み出せなかった場合、直ちに警告を送信するのではなく、所定の期間、読出部１１がタグ２から暗号化データを読み出せない状態が継続した場合に、警報を送信するとしてもよい。
【００２４】
なお、車両３が複数の物品１を運ぶ場合、復号鍵記憶装置１５は、予め各物品１に取り付けられたタグ２のタグデータを判定データとして記憶しておく。読出部１１は、各物品１に取り付けられたタグ２から暗号化データを読み出し、復号部１２は各暗号化データを復号して復号データを生成する。判定部１３は、各復号データと各判定データとを比較する。そして、警告部１４は、一致する復号データがない判定データがあった場合、その判定データが示すタグ２から暗号化データを読み出せなかったか、又は、復号データが判定データと一致しなかったとして、警告を送信する。
【００２５】
管理装置６は、管理装置受信部２１、管理装置送信部２２を備える。
管理装置受信部２１は、警告部１４が送信した警告を通信装置を介して受信する。管理装置送信部２２は、管理装置受信部２１が警告を受信すると、受信した警告に含まれるタグ２の識別情報から、どの物品１が盗難されたのかを特定し、その物品１の依頼元へ物品１が盗難されたことを通知する。例えば、予め登録された依頼元や配送先のメールアドレスへメールを送信することで、物品１が盗難されたことを通知する。また、併せて、物品１が盗難されたことと、盗難された際の車両３の位置情報とを警備会社や警察等へ通知する。
【００２６】
つまり、実施の形態１に係る警告システムでは、以下の（１）（２）の場合に、警告装置４から管理装置６へ警告が送信される。
（１）アンテナ５が無線電波７を放射する範囲外へタグ２が移動しまった場合、読出部１１はタグ２から暗号化データを読み出せなくなってしまうため、警告部１４は警告を管理装置６へ送信する。したがって、タグ２が取り付けられた物品１を盗難者が持ち去った場合、警告が送信される。
（２）読出部１１が読み出した暗号化データから正しいタグデータが得られなかった場合、警告部１４は警告を管理装置６へ送信する。したがって、盗難者が物品１を持ち去る際、タグ２と同様にアンテナ５が放射した無線電波７に対して反射波を返す模倣装置を車両３に取り付けた場合であっても、模倣装置がタグ２に記憶された暗号化データまでも模倣していない限り、警告が送信される。
ここで、暗号化データは、タグ２毎に異なるタグデータを暗号化したデータである。そのため、物品１に取り付けられたタグ２から、データをコピーしない限り、タグ２が記憶した暗号化データを模倣することはできない。
したがって、警告を送信させることなく、物品１を盗難することは難しい。そのため、物品１の盗難の防止に繋がる。
【００２７】
なお、物品１は、配送先のＢ地点に居る受取人の公開鍵で施錠されており、受取人の秘密鍵でのみ開錠できるとしてもよい。物品１が電子データである場合には、その電子データが受取人の公開鍵で暗号化されており、受取人の秘密鍵でのみ復号できるものとしてもよい。
【００２８】
実施の形態２．
一般に、物流会社が配送を行う場合、依頼元から車両３で回収した物品１を物流センタへ一旦集め、配送先地域毎に割り当てられた車両３へ物品１を載せ替えて、配送先へ配送する。特に、物流センタまで物品１を運ぶ運送会社と、物流センタから配送先へ物品１を運ぶ運送会社とが異なる場合もある。
このように、一般的に、物品１が１台の車両３により直接配送先へ配送されるのではなく、物品１が中継地点で中継され、他の車両３へ載せ替えられて配送されることが多い。そこで、実施の形態２では、物品１が中継地点で中継され配送される場合について説明する。
【００２９】
図３は、実施の形態２に係る警告システムの概要を説明するための図である。
実施の形態１の場合と同様に、物品１を依頼元の居るＡ地点から配送先のＢ地点まで安全に配送したい。ここで、Ａ地点からＣ中継所までは、物品１を車両３Ａが運び、Ｃ中継所からＢ地点までは物品１を車両３Ｂが運ぶ。車両３Ａには警告装置４Ａが取り付けられており、警告装置４Ａにはアンテナ５Ａが取り付けられている。同様に、車両３Ｂには警告装置４Ｂが取り付けられており、警告装置４Ｂにはアンテナ５Ｂが取り付けられている。そして、警告装置４Ａと警告装置４Ｂとは、それぞれ実施の形態１で説明した警告装置４と同様の条件で警告を管理装置６へ送信する。
なお、Ｃ中継所では、タグ２が取り付けられた物品１が、車両３Ａから車両３Ｂへ載せ替えられる。この際、タグ２に記憶されたデータが書き換えられるとともに、車両３Ｂの復号鍵記憶装置１５Ｂに必要な情報が書き込まれる。
【００３０】
図４は、実施の形態２に係る警告システムの機能を示す機能ブロック図である。
警告システムは、タグ２、警告装置４Ａ，４Ｂ、管理装置６を備える。
【００３１】
タグ２は、Ａ地点で車両３Ａに載せられる際、物品１に取り付けられる。この際、タグ２は、タグデータが第１暗号鍵で暗号化された第１暗号化データを記憶する。そして、タグ２は、所定の無線電波７を受信すると、記憶した第１暗号化データを反射波として返す。なお、第１暗号鍵は、警告装置４Ａの公開鍵である。
【００３２】
警告装置４Ａは、アンテナ５Ａ、読出部１１Ａ、復号部１２Ａ、判定部１３Ａ、警告部１４Ａ、復号鍵記憶装置１５Ａを備える。さらに、警告装置４Ａは、タグデータ更新部１６Ａ、識別情報送信部１７Ａを備える。
警告装置４Ｂは、アンテナ５Ｂ、読出部１１Ｂ、復号部１２Ｂ、判定部１３Ｂ、警告部１４Ｂ、復号鍵記憶装置１５Ｂを備える。さらに、警告装置４Ｂは、識別情報送信部１７Ｂを備える。
【００３３】
復号鍵記憶装置１５Ａには、タグ２が記憶した第１暗号化データを復号するための第１復号鍵と、判定データとが記憶されている。ここで、第１復号鍵は、警告装置４Ａの秘密鍵である。また、判定データは、タグデータと同一のデータ、つまりタグ２の識別情報である。
読出部１１Ａは、所定の間隔で、タグ２からアンテナ５Ａが放射した無線電波７を介して第１暗号化データを読み出す。読出部１１Ａが初めてタグ２から第１暗号化データを読み出した場合、識別情報送信部１７Ａは、タグ２の識別情報（タグデータ）と、警告装置４Ａの識別情報とを管理装置６へ送信する。これにより、管理装置６は、タグ２が車両３Ａに積み込まれたことが分かる。
復号部１２Ａは、読出部１１Ａが読み出した第１暗号化データを、復号鍵記憶装置１５Ａが記憶した第１復号鍵で復号して復号データを処理装置により生成する。判定部１３Ａは、復号部１２Ａが生成した復号データが、復号鍵記憶装置１５Ａが記憶した判定データと一致するか否かを処理装置により判定する。警告部１４Ａは、読出部１１Ａがタグ２から第１暗号化データを読み出せなかった場合、又は、復号データが判定データと一致しないと判定部１３Ａが判定した場合、警告を管理装置６へ送信する。
【００３４】
Ｃ中継所では、上述したように、物品１が車両３Ａから車両３Ｂへ載せ替えられる。
この際、タグデータ更新部１６Ａは、タグ２が記憶する第１暗号化データを削除して、タグデータを第２暗号鍵で暗号化した第２暗号化データをタグ２に記憶させる。ここで、第２暗号鍵は、警告装置４Ｂの公開鍵である。
また、復号鍵記憶装置１５Ａは、記憶したタグデータを消去する。これにより、物品１を車両３Ａから車両３Ｂへ載せ替えても、警告装置４Ａから警告が送信されることはない。
【００３５】
復号鍵記憶装置１５Ｂには、警告装置４Ａの秘密鍵である第２復号鍵と、判定データとが記憶されている。
読出部１１Ｂは、所定の間隔で、タグ２からアンテナ５Ｂが放射した無線電波７を介して第２暗号化データを読み出す。読出部１１Ｂが初めてタグ２から第２暗号化データを読み出した場合、識別情報送信部１７Ｂは、タグ２の識別情報（タグデータ）と、警告装置４Ｂの識別情報とを管理装置６へ送信する。これにより、管理装置６は、タグ２が車両３Ｂに積み込まれたことが分かる。
復号部１２Ｂは、読出部１１Ｂが読み出した第２暗号化データを、復号鍵記憶装置１５Ｂが記憶した第２復号鍵で復号して復号データを処理装置により生成する。判定部１３Ｂは、復号部１２Ｂが生成した復号データが、復号鍵記憶装置１５Ｂが記憶した判定データと一致するか否かを処理装置により判定する。警告部１４Ｂは、読出部１１Ｂがタグ２から第２暗号化データを読み出せなかった場合、又は、復号データが判定データと一致しないと判定部１３Ｂが判定した場合、警告を管理装置６へ送信する。
【００３６】
管理装置６は、実施の形態１と同様に、管理装置受信部２１、管理装置送信部２２を備える。
警告を受信した場合の動作は、実施の形態１と同様である。
管理装置受信部２１は、識別情報送信部１７Ａ，１７Ｂが送信したタグ２の識別情報と、その警告装置４の識別情報とを受信する。管理装置送信部２２は、管理装置受信部２１が受信したタグ２の識別情報から依頼元と配送先とを特定し、受信した警告装置４の識別情報から分かる位置情報を依頼元と配送先とへ送信する。なお、警告装置４の識別情報から分かる位置情報とは、例えば、警告装置４Ｂの識別情報であれば、Ｃ中継所へ物品１が届いたという情報である。
【００３７】
以上のように、物品１を他の車両３へ載せ替える場合、タグ２に記憶させた暗号化データを入れ替える。上述したように、Ａ地点からＣ中継所まで物品１を運ぶ運送会社と、Ｃ中継所からＢ地点まで物品１を運ぶ運送会社とが異なる場合がある。このような場合であっても、暗号化データの入れ替えを行うことで、各運送会社間で復号鍵を共有する必要がなく、鍵の安全性が保たれる。つまり、各運送会社の秘密鍵を他の運送会社に知られることがなく、秘密鍵の安全性が保たれる。
また、読出部１１が初めてタグ２から暗号化データを読み出すと、そのタグ２の識別情報が管理装置６へ送信される。そのため、管理装置６では、物品１がどの車両３に積まれているかを把握することができる。特に、運送者は、単に物品１を車両３に積み込むだけで、特に管理装置６へタグ２の識別情報の送信作業等を行うことなく、管理装置６へタグ２の識別情報が送信される。例えば、物品１に取り付けられたバーコードの読み込み等もすることなく、管理装置６へタグ２の識別情報が送信される。
【００３８】
実施の形態３．
実施の形態２では、物品１が中継地点で中継され配送される場合について説明した。このように物品１が中継されて配送される場合において、特に、原則として依頼元から依頼を受けた運送会社が物品１の配送を行うが、一部区間だけを他の運送会社等へ委託する場合がある。例えば、航空機を持たない運送会社が、空路の輸送だけを航空会社へ委託する場合が考えられる。
実施の形態３では、一部区間を他の運送会社等へ委託する場合について説明する。
【００３９】
図５は、実施の形態３に係る警告システムの概要を説明するための図である。
上記と同様に、物品１を依頼元の居るＡ地点から配送先のＢ地点まで安全に配送したい。ここで、Ａ地点からＣ地点までは、物品１を車両３Ａが運び、Ｃ地点からＤ地点までは、物品１を航空機８が運び、Ｄ地点からＢ地点までは物品１を車両３Ｂが運ぶ。特に、車両３Ａと車両３Ｂとは同一の運送会社の車両であり、空路部分のみを航空会社へ委託して運送してもらっているものとする。
なお、車両３Ａには警告装置４Ａが取り付けられており、警告装置４Ａにはアンテナ５Ａが取り付けられている。同様に、車両３Ｂには警告装置４Ｂが取り付けられており、警告装置４Ｂにはアンテナ５Ｂが取り付けられている。また、同様に、航空機８には警告装置４Ｃが取り付けられており、警告装置４Ｃにはアンテナ５Ｃが取り付けられている。そして、警告装置４Ａと警告装置４Ｂと警告装置４Ｃとは、それぞれ実施の形態１で説明した警告装置４と同様の条件で警告を管理装置６へ送信する。
【００４０】
図６は、実施の形態３に係る警告システムの機能を示す機能ブロック図である。
警告システムは、タグ２、警告装置４Ａ，４Ｂ，４Ｃ、管理装置６を備える。なお、図６では、タグ２と管理装置６とは省略している。
【００４１】
タグ２は、Ａ地点で車両３Ａに載せられる際、物品１に取り付けられる。この際、タグ２は、タグデータが第１暗号鍵で暗号化された第１暗号化データを記憶する。そして、タグ２は、所定の無線電波７を受信すると、記憶した第１暗号化データを反射波として返す。なお、第１暗号鍵は、警告装置４Ａの公開鍵である。
【００４２】
警告装置４Ａは、アンテナ５Ａ、読出部１１Ａ、復号部１２Ａ、判定部１３Ａ、警告部１４Ａ、復号鍵記憶装置１５Ａ、タグデータ更新部１６Ａを備える。さらに、警告装置４Ａは、復号鍵更新部１８Ａを備える。
警告装置４Ｂ，４Ｃは、アンテナ５Ｂ，５Ｃ、読出部１１Ｂ，１１Ｃ、復号部１２Ｂ，１２Ｃ、判定部１３Ｂ，１３Ｃ、警告部１４Ｂ，１４Ｃ、復号鍵記憶装置１５Ｂ，１５Ｃを備える。
【００４３】
復号鍵記憶装置１５Ａには、タグ２が記憶した第１暗号化データを復号するための第１復号鍵と、判定データとが記憶されている。ここで、第１復号鍵は、運送会社の秘密鍵である。また、判定データは、タグデータと同一のデータ、つまりタグ２の識別情報である。
読出部１１Ａは、所定の間隔で、タグ２からアンテナ５Ａが放射した無線電波７を介して第１暗号化データを読み出す。復号部１２Ａは、読出部１１Ａが読み出した第１暗号化データを、復号鍵記憶装置１５Ａが記憶した第１復号鍵で復号して復号データを処理装置により生成する。判定部１３Ａは、復号部１２Ａが生成した復号データが、復号鍵記憶装置１５Ａが記憶した判定データと一致するか否かを処理装置により判定する。警告部１４Ａは、読出部１１Ａがタグ２から第１暗号化データを読み出せなかった場合、又は、復号データが判定データと一致しないと判定部１３Ａが判定した場合、警告を管理装置６へ送信する。
【００４４】
Ｃ地点では、上述したように、物品１が車両３Ａから航空機８へ載せ替えられる。
この際、復号鍵更新部１８Ａは、航空機８に取り付けられた警告装置４Ｃの復号鍵記憶装置１５Ｃに、第１復号鍵で復号可能な暗号化データの一部の暗号化データのみを復号可能な秘密鍵である第２復号鍵を記憶させる。つまり、復号鍵更新部１８Ａは、第１復号鍵の下位の鍵である第２復号鍵を復号鍵記憶装置１５Ｃに記憶させる。
また、タグデータ更新部１６Ａは、タグ２が記憶する第１暗号化データを削除して、タグデータを第２暗号鍵で暗号化した第２暗号化データをタグ２に記憶させる。ここで、第２暗号鍵は、第２復号鍵で復号可能なデータを生成する鍵であり、第２復号鍵に対応する公開鍵である。
また、復号鍵記憶装置１５Ａは、記憶したタグデータを消去する。これにより、物品１を車両３Ａから航空機８へ載せ替えても、警告装置４Ａから警告が送信されることはない。
【００４５】
復号鍵記憶装置１５Ｃには、復号鍵更新部１８Ａに記憶させられた第２復号鍵と、判定データとが記憶されている。
読出部１１Ｃは、所定の間隔で、タグ２からアンテナ５Ｃが放射した無線電波７を介して第２暗号化データを読み出す。復号部１２Ｃは、読出部１１Ｃが読み出した第２暗号化データを、復号鍵記憶装置１５Ｃが記憶した第２復号鍵で復号して復号データを処理装置により生成する。判定部１３Ｃは、復号部１２Ｃが生成した復号データが、復号鍵記憶装置１５Ｃが記憶した判定データと一致するか否かを処理装置により判定する。警告部１４Ｃは、読出部１１Ｃがタグ２から第２暗号化データを読み出せなかった場合、又は、復号データが判定データと一致しないと判定部１３Ｃが判定した場合、警告を管理装置６へ送信する。
【００４６】
Ｄ地点では、上述したように、物品１が航空機８から車両３Ｂへ載せ替えられる。
この際、復号鍵記憶装置１５Ｃは、記憶したタグデータを消去する。これにより、物品１を航空機８から車両３Ｂへ載せ替えても、警告装置４Ｃから警告が送信されることはない。
なお、タグ２が記憶するデータは変更されず、タグ２は第２暗号化データを記憶したままにする。
【００４７】
警告装置４Ｂの復号鍵記憶装置１５Ｂには、警告装置４Ａの復号鍵記憶装置１５Ａが記憶した第１復号鍵とタグデータとが記憶されている。つまり、上述したように、車両３Ａと車両３Ｂとは同一の運送会社の車両であるため、復号鍵記憶装置１５Ａにも、復号鍵記憶装置１５Ｂにも運送会社の秘密鍵である第１復号鍵が記憶されている。
読出部１１Ｂは、所定の間隔で、タグ２からアンテナ５Ｂが放射した無線電波７を介して第２暗号化データを読み出す。復号部１２Ｂは、読出部１１Ｂが読み出した第２暗号化データを、復号鍵記憶装置１５Ｂが記憶した第１復号鍵で復号して復号データを処理装置により生成する。判定部１３Ｂは、復号部１２Ｂが生成した復号データが、復号鍵記憶装置１５Ｂが記憶した判定データと一致するか否かを処理装置により判定する。警告部１４Ｂは、読出部１１Ｂがタグ２から第１暗号化データを読み出せなかった場合、又は、復号データが判定データと一致しないと判定部１３Ｂが判定した場合、警告を管理装置６へ送信する。
【００４８】
以上のように、一部の運送を委託する場合において、物品１を委託先（上記例では航空機８）へ渡す際、委託先の警告装置４へ委託元（上記例では車両３Ａ，３Ｂ）の秘密鍵の下位の秘密鍵を渡す。また、タグ２には、下位の秘密鍵に対応する公開鍵でタグデータを暗号化した暗号化データを記憶させる。これにより、委託先でも委託元と同様に警告を送信することができるだけでなく、委託先から委託元へ物品１を渡す際、タグ２が記憶するデータの更新をする必要がない。つまり、委託時にのみタグ２が記憶するデータの更新を行えばよい。
【００４９】
なお、上記説明では、物品１を委託先（上記例では航空機８）へ渡す際、委託先の警告装置４へ委託元（上記例では車両３Ａ，３Ｂ）の秘密鍵の下位の秘密鍵を渡した。つまり、Ｃ地点で車両３Ａから航空機８へ物品１を載せ替える際、第２復号鍵でタグデータを暗号化したデータを第２暗号化データとしてタグ２に記憶させた。
しかし、Ｃ地点で車両３Ａから航空機８へ物品１を載せ替える際、第１暗号化データを、さらに航空会社の公開鍵で暗号化したデータを第２暗号化データとしてタグ２に記憶させてもよい。
なお、この場合、航空機８の警告装置４Ｃは、航空会社の秘密鍵と、第１暗号化データを暗号化するのに用いた第１暗号鍵に対応する第１復号鍵とが必要である。しかし、第１復号鍵は、運送会社の秘密鍵であり、単純に航空会社へ渡すことはできない。そこで、警告装置４Ａの復号鍵更新部１８Ａは、例えば、航空機８によって物品１が運ばれる期間のみ使用可能とする有効期限を付けて、復号鍵記憶装置１５Ｃに記憶させてもよい。この場合、警告装置４Ｃでは、読出部１１Ｃが読み出した第２暗号化データを、復号部１２Ｃがまず第２復号鍵で復号し、さらに第１復号鍵で復号して復号データを生成すればよい。
航空機８から車両３Ｂへ物品１を載せ替える際、警告装置４Ｃの復号鍵更新部１８Ｃ（図示されていない）は、第２暗号化データを第２復号鍵で復号して生成した第１暗号化データを、タグ２に記憶させる。この場合、警告装置４Ｂでは、上記と同様に、第１復号鍵を用いて処理を行うことができる。
【００５０】
実施の形態４．
上記実施の形態では、タグ２が暗号化データを予め記憶しており、記憶した暗号化データを無線電波７の反射波として返す場合について説明した。しかし、この場合、タグ２から送信されるデータは毎回同じである。そのため、タグ２のデータをコピーされる虞がある。
実施の形態４では、タグ２のデータをコピーすることをより困難にする方法について説明する。
【００５１】
図７は、実施の形態４に係る警告システムの機能を示す機能ブロック図である。
警告システムは、タグ２、警告装置４、管理装置６を備える。
【００５２】
タグ２は、暗号鍵記憶装置３１、暗号化部３２を備える。
暗号鍵記憶装置３１は、警告装置４の公開鍵である暗号鍵を記憶する。暗号化部３２は、所定のデータを乗せた無線電波７を受信すると、暗号鍵記憶装置３１が記憶した暗号鍵で所定のデータを暗号化して暗号化データを生成し、反射波として返す。
【００５３】
警告装置４は、アンテナ５を備える。また、警告装置４は、読出部１１、復号部１２、判定部１３、警告部１４、復号鍵記憶装置１５を備える。
復号鍵記憶装置１５には、警告装置４の秘密鍵である復号鍵が記憶されている。
アンテナ５は、所定のデータを乗せた無線電波７を所定の間隔で放射する。読出部１１は、タグ２が無線電波７の反射波として返す暗号化データを読み出す。
以下、復号部１２、判定部１３、警告部１４の動作は、実施の形態１と同様である。
ここで、アンテナ５が無線電波７に乗せて送信する所定のデータは、例えば乱数であり、所定時間毎に異なるデータである。そのため、タグ２が反射波として返す暗号化データも所定時間毎に異なるデータになる。
【００５４】
以上のように、実施の形態４に係る警告システムでは、タグ２から送信されるデータが所定時間毎に異なるため、タグ２のデータをコピーすることが困難になる。
【００５５】
なお、実施の形態２のように、物品１がＣ中継所で中継され配送される場合には、Ａ地点からＣ中継所まで物品１を運ぶ車両３Ａに取り付けられた警告装置４Ａでは、アンテナ５Ａが所定のデータを乗せた無線電波７を所定の間隔で放射する。そして、読出部１１Ａが、タグ２が無線電波７の反射波として返す暗号化データを読み出し、警告を送信するか否かが決定される。
Ｃ中継所では、第２暗号鍵でタグデータを暗号化した第２暗号化データをタグ２に記憶させる代わりに、第２暗号鍵をタグ２の暗号鍵記憶装置３１に記憶させる。
そして、Ｃ中継所からＢ地点まで物品１を運ぶ車両３Ｂに取り付けられた警告装置４Ｂでは、アンテナ５Ｂが所定のデータを乗せた無線電波７を所定の間隔で放射する。そして、読出部１１Ｂが、タグ２が無線電波７の反射波として返す暗号化データを読み出し、警告を送信するか否かが決定される。
【００５６】
また、実施の形態３のように、一部区間を他の運送会社等へ委託する場合には、Ａ地点からＣ地点まで物品１を運ぶ車両３Ａに取り付けられた警告装置４Ａでは、アンテナ５Ａが所定のデータを乗せた無線電波７を所定の間隔で放射する。そして、読出部１１Ａが、タグ２が無線電波７の反射波として返す暗号化データを読み出し、警告を送信するか否かが決定される。
Ｃ地点では、第２暗号鍵でタグデータを暗号化した第２暗号化データをタグ２に記憶させる代わりに、第１暗号鍵の下位の公開鍵である第２暗号鍵をタグ２の暗号鍵記憶装置３１に記憶させる。
Ｃ地点からＤ地点まで物品１を運ぶ航空機８に取り付けられた警告装置４Ｃでは、アンテナ５Ｃが所定のデータを乗せた無線電波７を所定の間隔で放射する。そして、読出部１１Ｃが、タグ２が無線電波７の反射波として返す暗号化データを読み出し、警告を送信するか否かが決定される。
Ｄ地点では、タグ２の暗号鍵記憶装置３１が記憶したデータは変更されない。
Ｄ地点からＢ地点まで物品１を運ぶ車両３Ｂに取り付けられた警告装置４Ｂでは、アンテナ５Ｂが所定のデータを乗せた無線電波７を所定の間隔で放射する。そして、読出部１１Ｂが、タグ２が無線電波７の反射波として返す暗号化データを読み出し、警告を送信するか否かが決定される。
【００５７】
実施の形態５．
実施の形態５では、警告が送信された場合に、盗難された物品１を発見する方法について説明する。
【００５８】
図８は、実施の形態５に係る警告システムの概要を説明するための図である。
一般に、運送会社は、多くの車両３を有している。ここで、例えば、車両３Ａに載せられた物品１が盗難されたとする。この場合、上記実施の形態で説明した方法により、警告が管理装置６へ送信される（１）。なお、上述したように、警告には、タグ２の識別情報が含まれる。
すると、管理装置６は、各車両３へ盗難された物品１に取り付けられたタグ２の識別情報を送信する（２）。盗難されたタグ２の識別情報を受信した車両３では、通常通り、アンテナ５から無線電波７を送信してタグ２から暗号化データを読み出す。
この際、車両３Ｃが盗難された物品１の付近を通ったとする。すると、車両３Ｃに取り付けられた警告装置４Ｃは、盗難された物品１に取り付けられたタグ２から暗号化データを読み出す。この暗号化データを復号すると、盗難された物品１に取り付けられたタグ２の識別情報になる。そこで、車両３Ｃは、盗難されたタグ２の情報を検出したことを示すタグ検出情報を管理装置６へ送信する（３）。この際、合わせて、車両３Ｃの位置情報も管理装置６へ送信する。
これにより、盗難された物品１がある場所を特定することができる。
なお、ここでは、アンテナ５は、車両３の荷台よりも広い範囲へ無線電波７を放射しているものとする。
【００５９】
図９は、実施の形態５に係る警告システムの機能を示す機能ブロック図である。
警告システムは、タグ２、複数の警告装置４、管理装置６を備える。なお、図９では、警告装置４を１つだけ示すが、実際には警告システムは複数の警告装置４を備える。また、図９では、タグ２は省略している。
【００６０】
各警告装置４は、読出部１１、復号部１２、判定部１３、警告部１４、復号鍵記憶装置１５を備える。さらに、各警告装置４は、識別情報受信部１９、検出情報送信部２０を備える。
管理装置６は、管理装置受信部２１、管理装置送信部２２を備える。
【００６１】
各警告装置４は、上記実施の形態と同様に、タグ２の識別情報を含む警告を管理装置６へ送信する。
すると、管理装置６の管理装置受信部２１は、警告装置４が送信した警告を受信する。管理装置送信部２２は、受信した警告に含まれるタグ２の識別情報を各警告装置４へ送信する。
各警告装置４の識別情報受信部１９は、管理装置６が送信したタグ２の識別情報を受信する。その後、判定部１３は、読出部１１が読み出した暗号化データから生成された復号データが、識別情報受信部１９が受信したタグ２の識別情報であるか否かを判定する。読出部１１が読み出した暗号化データから生成された復号データが識別情報受信部１９が受信したタグ２の識別情報であると判定部１３が判定した場合、検出情報送信部２０はそのタグ２の識別情報と、車両３の位置情報とを管理装置６へ送信する。
【００６２】
以上のように、実施の形態５に係る警告システムでは、複数の警告装置４が盗難された物品１に取り付けられたタグ２からデータを読み出した場合に管理装置６へ通知する。これにより、盗難された物品１の場所を特定することができる。
【００６３】
なお、上記説明では、車両３が警告装置４を備え、物品１を配送する例を示した。ここで、車両３は、図に示したようにトラックのような車両であってもよいし、列車、バイク、自転車等の他の車両であってもよい。また、警告装置４を備えるのは、車両でなく、航空機、船等の他の乗り物であってもよいし、人が持っていてもよい。
【００６４】
また、上記説明では、タグデータは、タグ２の識別情報であるとした。しかし、タグデータは他の情報であり、タグ２は反射波としてタグデータが暗号化された暗号化データと、タグ２の識別情報とを返すとしてもよい。
【００６５】
また、上記説明では、公開鍵暗号化方式を用いる例を説明した。しかし、共通鍵暗号化方式を用いてもよい。
【００６６】
次に、上記実施の形態における警告装置４、管理装置６のハードウェア構成について説明する。
図１０は、警告装置４、管理装置６のハードウェア構成の一例を示す図である。
図１０に示すように、警告装置４、管理装置６は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００６７】
ＲＯＭ９１３、磁気ディスク装置９２０は、不揮発性メモリの一例である。ＲＡＭ９１４は、揮発性メモリの一例である。ＲＯＭ９１３とＲＡＭ９１４と磁気ディスク装置９２０とは、記憶装置（メモリ）の一例である。また、キーボード９０２、通信ボード９１５は、入力装置の一例である。また、通信ボード９１５は、通信装置（ネットワークインタフェース）の一例である。さらに、ＬＣＤ９０１は、表示装置の一例である。
【００６８】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００６９】
プログラム群９２３には、上記の説明において「読出部１１」、「復号部１２」、「判定部１３」、「警告部１４」、「タグデータ更新部１６」、「識別情報送信部１７」、「復号鍵更新部１８」、「識別情報受信部１９」、「検出情報送信部２０」、「管理装置受信部２１」、「管理装置送信部２２」等として説明した機能を実行するソフトウェアやプログラムやその他のプログラムが記憶されている。プログラムは、ＣＰＵ９１１により読み出され実行される。
ファイル群９２４には、上記の説明において「タグデータ」、「暗号化データ」、「復号データ」、「結果」、「警告」等の情報やデータや信号値や変数値やパラメータが、「ファイル」や「データベース」の各項目として記憶される。「ファイル」や「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００７０】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。さらに、「〜処理」として説明するものは「〜ステップ」であっても構わない。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００７１】
１  物品、２  タグ、３  車両、４  警告装置、５  アンテナ、６  管理装置、７  無線電波、８  航空機、１１  読出部、１２  復号部、１３  判定部、１４  警告部、１５  復号鍵記憶装置、１６  タグデータ更新部、１７  識別情報送信部、１８  復号鍵更新部、１９  識別情報受信部、２０  検出情報送信部、２１  管理装置受信部、２２  管理装置送信部、３１  暗号鍵記憶装置、３２  暗号化部。
【図１】
2011186578.tif 000003
【図２】
2011186578.tif 000004
【図３】
2011186578.tif 000005
【図４】
2011186578.tif 000006
【図５】
2011186578.tif 000007
【図６】
2011186578.tif 000008
【図７】
2011186578.tif 000009
【図８】
2011186578.tif 000010
【図９】
2011186578.tif 000011
【図１０】
2011186578.tif 000012